(57)【要約】【課題】  より迅速に、かつ特により安価に組み立てることのできるヒューズを提供する。【解決手段】  大電流用ヒューズ、特に自動車分野における大電流用ヒューズであって、２つの接続領域１０ａと、これらの接続領域１０ａの間に介在させられたヒューズ領域１０ｓとを有した導電素子１０を備え、少なくとも１つのインタフェースが、前記導電素子１０と一体的に構成されていて、嵌合接続可能であり、かつ該ヒューズが、前記ヒューズ領域１０ｓと前記接続領域１０ａとを保護するためのハウジング２０を有しているようにした。【選択図】  図１
2006093121.tif 000002
【特許請求の範囲】
【請求項１】
大電流用ヒューズ、特に自動車分野における大電流用ヒューズであって、２つの接続領域（１０ａ）と、これらの接続領域（１０ａ）の間に介在させられたヒューズ領域（１０ｓ）とを有した導電素子（１０）を備え、少なくとも１つのインタフェースが、前記導電素子（１０）と一体的に構成されていて、嵌合接続可能であり、かつ該ヒューズが、前記ヒューズ領域（１０ｓ）と前記接続領域（１０ａ）とを保護するためのハウジング（２０）を有していることを特徴とする大電流用ヒューズ。
【請求項２】
導電素子（１０）が金属板（１０）である請求項１記載のヒューズ。
【請求項３】
インタフェースが、ロール成形部又は中実部又は折畳み部として形成されている、請求項２記載のヒューズ。
【請求項４】
インタフェース（３０）の軸線（３０ｒ）が、前記金属板（１０）によって形成された平面内に位置しているか又は該平面に対して平行に配置されている請求項３記載のヒューズ。
【請求項５】
インタフェース（３０）の軸線（３０ｒ）が、金属板（１０）によって形成された前記平面から突出しており、有利には９０°の角度を成して突出している請求項３記載のヒューズ。
【請求項６】
ハウジング（２０）が、２つのハウジング部分から成っており、両ハウジング部分が、ハウジング室（２１）内にヒューズ領域（１０ｓ）を収容しており、ハウジング室（２１）の内壁（２１ｉ）が、金属板（１０）のヒューズ部材（１０ｅ）から間隔を置いて配置されている請求項１記載のヒューズ。
【請求項７】
ハウジング（２０）が、少なくとも１つのインタフェースハウジング室（２２）を有しており、該インタフェースハウジング室（２２）内にインタフェース（３０）が位置決めされており、前記導電素子（１０）が、ハウジング室（２１）と前記インタフェースハウジング室とを通って延在しており、貫通開口（２３）が、ハウジング室（２１）と前記インタフェースハウジング室（２２）との間に設けられている請求項６記載のヒューズ。
【請求項８】
ハウジング室（２１）が、封止手段を使用して前記インタフェースハウジング室（２２）から封止されている請求項７記載のヒューズ。
【請求項９】
インタフェースハウジング室（２２）が、プラグを受容するための開口（２６）を有している請求項６又は７記載のヒューズ。
【請求項１０】
プラグをロックするためのロッキング手段（２４）が、インタフェースハウジング室（２２）の開口（２６）に設けられている請求項９記載のヒューズ。
【請求項１１】
ロッキング手段（２４）がオーバスリーブによって固定されている請求項１０記載のヒューズ。
【請求項１２】
ハウジング（２０）が、複数のヒューズを一列に配置するための、構造化された少なくとも１つの外壁（２０ｓ）を有している請求項１記載のヒューズ。
【請求項１３】
ロッキング手段（２４）が、位置決め部又はバヨネットロック部として形成されている請求項１０又は１１記載のヒューズ。
【請求項１４】
ハウジング（２０）が一体物として、有利にはフラップヒンジを備えて、構成されている請求項１記載のヒューズ。
【請求項１５】
車両へ該ヒューズを位置固定するための少なくとも１つの位置固定手段が、ハウジング（２０）に設けられている請求項１記載のヒューズ。
【発明の詳細な説明】
【技術分野】
【０００１】
本発明は、大電流用ヒューズ、特に自動車分野において使用され、かつ２つの接続領域と、これらの接続領域の間に介在させられたヒューズ領域とを備える導電素子から成る大電流用ヒューズに関する。
【背景技術】
【０００２】
このようなヒューズは、通常、電気回路を特有の永続的な過負荷又は短絡から保護するために使用される。この場合、大抵は比較的に低い電圧の、約３０〜２００アンペアの範囲の大電流によって、ヒューズの特殊な構成が必要とされる。
【０００３】
例えば特許文献１には、金属片を備えたヒューズであって、Ｓ字形のヒューズ部材が２つの接続区分の間に設けられており、前記ヒューズ部材が２つのハウジング半体によって保護されている形式のヒューズが記載されている。両ハウジング半体から形成されたハウジングは、ヒューズ部材を設置の間保護するために使用され、かつ、短絡電流によってヒューズが作動させられた場合には、制御されない熱放出からヒューズを保護するために使用される。
【０００４】
前記形式のヒューズでは、関連するワイヤリングハーネスに接続するために、対応するねじ部材が使用される。この部材は、更に別個のハウジング内にねじ込まれる。該別個のハウジングは、金属部分から成る接続部材と、引込みリード又は延長リードのための接続区分とを有している。前記別個のハウジングは、ケーブルセットと別個の部材としてのヒューズとの間のインタフェースを形成している。
【０００５】
組立てプロセス中には、金属部分とクランプ固定されたリードとの間の低い移行（遷移）インピーダンス（transition impedance）を達成するために、十分な締付けトルクが加えられることを保証するように配慮することが望ましい。しかしながら、締付けトルクは大き過ぎてはならない。締付けトルクが大き過ぎると、損傷が発生してしまうであろう。ヒューズがケーブル端部へねじ固定されることによって、ワイヤリングハーネスが組み立てられた後、周囲のハウジングは互いに折り畳まれて、封止される。
【０００６】
ヒューズ接続部材の、ねじがねじ込まれている孔を保護するために、例えば特許文献２には、離脱しないように保護する保護装置として働くスリーブ３５，３６が開示されている。
【特許文献１】欧州特許第０６２７１２０号明細書
【特許文献２】欧州特許第０８０３８８９号明細書
【特許文献３】米国特許第４７３４０６３号明細書
【特許文献４】米国特許第４６５７３３５号明細書
【発明の開示】
【発明が解決しようとする課題】
【０００７】
本発明の課題は、より迅速に、かつ特により安価に組み立てることのできるヒューズを提供することである。
【課題を解決するための手段】
【０００８】
本発明の基本的な趣旨は、導電素子を備えたインタフェースを、予め製作された部分として形成することによって、かつヒューズ領域と接続領域とを保護するための唯一のハウジングを該ヒューズに備えることによって、ヒューズの接続領域におけるワイヤリングハーネスの、付加的な組立てステップを省くことである。該ヒューズはこのように構成されているので、従来式の第２のハウジングは該ヒューズ内に組み込まれ、簡単なプラグ組立てが可能になる。
【０００９】
前記予め製作された部分の形成は、例えば、前記導電素子の端部が所定の直径に達するまでロール成形されることによって実施され得る。市場で既に定評のあるプラグが、該ヒューズと一体である前記「ロール」へ、容易に嵌合接続（plugged onto）され得る。このようなプラグは、米国特許第４，７３４，０６３号明細書及び米国特許第４，６５７，３３５号明細書に基づき公知である。この方式で組立てステップが省かれる。なぜならば、該ヒューズは、対応するプラグへ接続され得るかまたはワイヤリングハーネス内に組み込まれ得るからである。
【００１０】
ワイヤリングハーネスのインタフェースがヒューズ内に直接に組み込まれることによって、適当なコネクタへ嵌合接続するための組立て部材は減少される。原則的に、この目的のためにヒューズの必須部分である接続領域が形成され、これにより、対応輪郭が前記嵌合接続プロセスのために利用可能になる。さらに、ヒューズの導電性は、電気的な移行部材の減少によって改善される。
【００１１】
さらに、この構成の結果として、ヒューズハウジングは、溶融構造の現行のボディ領域を超えて拡大されることができ、かつプラグコネクタハウジングの役目を引き受けることができる。この場合、封止に適した輪郭の形成及び連結固定（interlock）／係合を保証するように配慮することができる。
【００１２】
このように、簡単な連結プロセスが、ワイヤリングハーネス内に該ヒューズを組み込むために使用され得る。
【００１３】
本願において「一体」とは、モノリシックであるか、ろう接されているか、リベット留めされているかまたは溶接されている全ての構成部分に対して用いられるものである。
【００１４】
本発明のさらなる利点は、組立てが工具なしに行われ得、これにより、不正確な組立てによって生じる誤差の原因が、ほぼ回避されることである。特に、ねじ固定中に不正確に調節されることが頻繁に起こる締付けトルクに注意を払う必要は、もはやない。ヒューズの適当な嵌合接続を容易にするためには、高い電流強さのための適当なコネクタシステムを提供する形状が、用意されなければならない。例えば、導電素子の延長部としての、ロール成形された幾何学的形状部によって、該ヒューズと該ヒューズに付属させられる標準的なコンタクトソケットとの間の、理想的に有効な接続が提供される。さらに、従来式のヒューズの接続部を包囲及び収容している、付加的に付属させられるハウジングは、設けなくてよくなる。
【００１５】
本発明は、その最も一般的な実施態様については、このように請求項１に記載の特徴を有するヒューズに関するものである。
【００１６】
本発明のさらなる実施態様は、従属請求項の特徴から得られる。
【発明を実施するための最良の形態】
【００１７】
以下に、本発明の実施の形態を図面につき詳しく説明する。
【００１８】
図１には、導電素子１０を示してある。この導電素子１０はハウジング２０内を貫通して延在している。このハウジング２０内では、導電素子１０のそれぞれ反対側に位置する端部に、それぞれ１つのインタフェース３０が、導電素子１０と一体的に構成されている。インタフェース３０は、ピンを形成することによって製作されている。このピンは、図示の実施例では金属板１０として実施された導電素子１０の１つの接続領域において、円形の横断面を有しており、該ピンは、前記金属板のこの区分がロール成形されることによって製作されている。標準的なコンタクトソケットが、直接にこの幾何学的形状部へ被嵌され得る。この幾何学的形状部の直径は、ワイヤリングハーネス又はヒューズの電力範囲に適合させられることが望ましい。これにより、該ヒューズは、前記ワイヤリングハーネス内へ直接に組み込まれ得る。
【００１９】
ハウジング２０は、下位ハウジング部分と上位ハウジング部分とから成っている。この場合、下位ハウジング部分と上位ハウジング部分とは、ピンを使用して公知の方法で互いに結合されている。このピンは、金属板１０の位置固定手段（図示せず）、例えば貫通孔によって位置固定されている。
【００２０】
導電素子１０は、インタフェース３０に分離不能に、すなわち一体物を成すように接続されており、この接続部は、例えばリベット留め、溶接又はろう接によって形成され得る。この接続部が特に良好な導電性を有することを保証するように配慮することが望ましい。
【００２１】
あるいは、ロール成形された前記インタフェース３０は、装着場所の特別な幾何学的形状によって必要が生じた場合には、異なる角度で配置されていてもよい。インタフェース３０が一体形状で実現され得ない場合には、該インタフェース３０は、他の幾何学的形状に形成されていてもよい。したがって、例えば三角形又は方形の横断面も、実施可能であろう。
【００２２】
ヒューズ領域１０ｓは、公知先行技術において公知のどのような構成も有することができる。図示の実施例では、金属板１０／導電素子１０のヒューズ部材１０ｅは、鎌状の２つの翼部１０ｆによって保持されており、両翼部１０ｆはそれぞれ、導電素子１０の接続領域１０ａとは反対の側にモールドされている。ヒューズ部材１０ｅ及び翼部１０ｆのリード横断面は、接続領域１０ａにおける金属板１０の横断面よりも著しく小さい。このことによって、抵抗がこの地点で最大になる。この状況において、ヒューズ部材１０ｅは、材料、有利には錫の選択によって、翼部１０ｆ及びヒューズ部材１０ｅのリード横断面積及び長さの選択によって、電流強さ及び印加電圧の選択によって構成されている。
【００２３】
断面図で示したハウジング２０は、ハウジング室２１を有している。このハウジング室２１はヒューズ領域１０ｓと接続領域１０ａの部分とを含有する。この場合、ハウジング室２１又はハウジング２０の内壁２１ｉは、ヒューズ部材１０ｅから離れている。したがって、前記部材が熱によって変形させられた場合に、前記ハウジング内壁２１ｉとのいかなる接触接続も排除される。ハウジング室２１の右側及び左側に隣接する位置には、それぞれ１つのインタフェースハウジング室２２が存在する。このインタフェースハウジング室２２は、両ハウジング室２１，２２間の壁２０ｗによって隔離されている。この壁２０ｗは貫通開口２３を有しており、この貫通開口２３を、ロール成形された前記インタフェース３０が貫通している。封止手段（ここでは図示せず）が、ハウジング室２１を封止するために貫通開口２３内に設けられていてよい。プラグを受容するための開口２６が、インタフェースハウジング室２２のそれぞれの外側端部に設けられており、該開口２６の円周部は、プラグの挿入をより容易にするために傾斜している。
【００２４】
ハウジング２０は、（フラップ）ヒンジと一体的に、あるいは（フラップ）ヒンジと１つの部材を成すように構成されていてもよい。
【００２５】
前記傾斜は、付加的に、プラグを位置決めするための、又は対応する突出部の後方でプラグを把持するためのロッキング手段２４を形成している。このロッキング手段２４は、位置決め部又はバヨネット式接続部として構成されていてよい。
【００２６】
更に、ここには、プラグ用のオーバスリーブ（oversleeve）又は二次的なロックが、プラグ接続部の意図せざる分離を防止するために、公知の形式で設けられていてよい。前記インタフェース及び前記ハウジングは、へこみ防止（scoop-proofed）されたものとして構成されていてもよい。
【００２７】
更に、前記ハウジングは、複数のヒューズを次々に配置するための、構造化された少なくとも１つの外壁２０ｓを有していてよい。この外壁２０ｓは、例えば、横方向の燕尾形構造部によって形成されていてよい。これにより、ヒューズの滑りを防止すべき可能な最小スペースに、複数個が頻繁に収容されるヒューズのための、位置調整可能なモジュラコンセプトが生ぜしめられる。
【００２８】
更に、本発明による実施態様によって、ワイヤリングハーネスを備えた既製のヒューズを構成することが可能になる。
【００２９】
さらに、図示していないアイが、ヒューズを自動車両において位置固定するためにハウジング２０に設けられていてもよい。
【図面の簡単な説明】
【００３０】
【図１】該ヒューズの１実施態様を示す破断図である。
【符号の説明】
【００３１】
１０  導電素子（金属板）
１０ａ  接続領域
１０ｅ  ヒューズ部材
１０ｆ  翼部
１０ｓ  ヒューズ領域
２０  ハウジング
２０ｓ  外壁
２０ｗ  壁
２１  ハウジング室
２１ｉ  内壁
２２  インタフェースハウジング室
２３  貫通開口
２４  ロッキング手段
２６  開口
３０  インタフェース
３０ｒ  軸線
【図１】
2006093121.tif 000003